(57)【要約】【課題】良好な可撓性を有する放射線検出装置を提供する。【解決手段】基板４０上に、画素５０が形成されたＴＦＴ６８のアレイと、画素５０のバイアス用コンデンサ６７と、ＴＦＴ６８駆動のためのコネクタ１２０を備えて放射線検出回路部１０が構成されるので、良好な可撓性が得られる。すなわち、放射線検出回路部１０は、バッテリ等が配置される制御回路部６２を備えていないので、扁平且つ軽量に構成することができる。さらに、放射線検出回路部１０が被写体の表面形状に応じて湾曲するので、被写体の負担を軽減することができる。【選択図】図５
2010078543.tif 000002
【特許請求の範囲】
【請求項１】
可撓性を有する基板上に形成される放射線検出回路部と、
前記放射線検出回路部を駆動制御する制御回路部と、から構成され、
前記放射線検出回路部には、
一方の信号電極に信号線が接続され、ゲート電極にゲート線が接続され、他方の信号電極に、被写体を透過した放射線を検出して信号電荷に変換する各画素が形成される行列配置のスイッチング素子のアレイと、
前記各画素にバイアス電圧を印加するためのバイアス用コンデンサと、
前記ゲート線の入力端子、前記信号線の出力端子、及び前記バイアス用コンデンサにバイアス電圧を供給するバイアス入力端子と、が備えられ、
前記制御回路部には、
前記スイッチング素子を列毎に駆動する駆動回路と、
前記列毎に駆動されたスイッチング素子から行毎に前記画素から信号電荷を読み出す信号読出回路と、が備えられる
ことを特徴とする放射線検出装置。
【請求項２】
可撓性を有する基板上に形成される放射線検出回路部と、
前記放射線検出回路部を駆動制御する制御回路部と、から構成され、
前記放射線検出回路部には、
一方の信号電極に信号線が接続され、ゲート電極にゲート線が接続され、他方の信号電極に、被写体を透過した放射線を検出して信号電荷に変換する各画素が形成される行列配置のスイッチング素子のアレイと、
前記スイッチング素子を列毎に駆動するゲートＩＣと、
前記各画素にバイアス電圧を印加するためのバイアス用コンデンサと、
前記ゲート線の入力端子、前記信号線の出力端子、及び前記バイアス用コンデンサにバイアス電圧を供給するバイアス入力端子と、が備えられ、
前記制御回路部には、
前記ゲートＩＣを駆動するゲートＩＣ駆動回路と、
前記列毎に駆動されたスイッチング素子から行毎に前記画素から信号電荷を読み出す信号読出回路と、が備えられる
ことを特徴とする放射線検出装置。
【請求項３】
請求項１又は２記載の放射線検出装置において、
さらに、前記制御回路部に電源を供給するバッテリ部を備える
ことを特徴とする放射線検出装置。
【発明の詳細な説明】
【技術分野】
【０００１】
この発明は、被写体を透過した放射線を検出し、検出した前記放射線を放射線画像情報を持つ信号電荷に変換する放射線検出装置に関する。
【背景技術】
【０００２】
医療分野において、被写体に放射線を照射し、該被写体を透過した前記放射線を放射線検出器に導いて放射線画像情報を撮影する放射線画像撮影システムが広汎に使用されている。前記放射線検出器としては、前記放射線画像情報が露光記録される従来からの放射線フイルムや、蛍光体に前記放射線画像情報としての放射線エネルギを蓄積し、励起光を照射することで前記放射線画像情報を輝尽発光光として取り出すことのできる蓄積性蛍光体パネルが知られている。これらの放射線検出器は、前記放射線画像情報が記録された放射線フイルムを現像装置に供給して現像処理を行い、あるいは、前記蓄積性蛍光体パネルを読取装置に供給して読取処理を行うことで、可視画像を得ることができる。
【０００３】
一方、手術室等においては、患者に対して迅速且つ的確な処置を施すため、撮影後の放射線検出器から直ちに放射線画像情報を読み出して表示できることが必要である。このような要求に対応可能な放射線検出器として、放射線を直接電気信号に変換し、あるいは、放射線をシンチレータで可視光に変換した後、電気信号に変換して読み出す固体検出素子を用いた放射線検出器が開発されている。
【０００４】
特許文献１には、この固体検出素子を用いたカセッテ型の放射線検出装置が提案されている。
【０００５】
しかしながら、カセッテ型であるため、全体として剛性体であることから患者の表面形状に整合させることができない。また、放射線検出装置の重量が重く取り扱いに不便である。
【０００６】
特許文献２には、患者の表面形状に整合させることが可能な可撓性を有する放射線検出装置が提案されている。
【０００７】
【特許文献１】特開２００３−１７２７８３号公報
【特許文献２】特開２００３−７０７７６号公報
【発明の開示】
【発明が解決しようとする課題】
【０００８】
しかしながら、特許文献２に開示された放射線検出装置では、可撓性を有する方向に駆動回路が配置されているので、十分な可撓性を得ることができない。また、読出増幅器も配置されているので可撓性が制限される。
【０００９】
この発明は、このような課題を考慮してなされたものであり、良好な可撓性が得られ、且つ取り扱いが利便な放射線検出装置を提供することを目的とする。
【課題を解決するための手段】
【００１０】
この発明に係る放射線検出装置は、可撓性を有する基板上に形成される放射線検出回路部と、前記放射線検出回路部を駆動制御する制御回路部と、から構成され、前記放射線検出回路部には、一方の信号電極に信号線が接続され、ゲート電極にゲート線が接続され、他方の信号電極に、被写体を透過した放射線を検出して信号電荷に変換する各画素が形成される行列配置のスイッチング素子のアレイと、前記各画素にバイアス電圧を印加するためのバイアス用コンデンサと、前記ゲート線の入力端子、前記信号線の出力端子、及び前記バイアス用コンデンサにバイアス電圧を供給するバイアス入力端子と、が備えられ、前記制御回路部には、前記スイッチング素子を列毎に駆動する駆動回路と、前記列毎に駆動されたスイッチング素子から行毎に前記画素から信号電荷を読み出す信号読出回路と、が備えられて構成される。
【００１１】
また、この発明に係る放射線検出装置は、可撓性を有する基板上に形成される放射線検出回路部と、前記放射線検出回路部を駆動制御する制御回路部と、から構成され、前記放射線検出回路部には、一方の信号電極に信号線が接続され、ゲート電極にゲート線が接続され、他方の信号電極に、被写体を透過した放射線を検出して信号電荷に変換する各画素が形成される行列配置のスイッチング素子のアレイと、
前記スイッチング素子を列毎に駆動するゲートＩＣと、前記各画素にバイアス電圧を印加するためのバイアス用コンデンサと、前記ゲート線の入力端子、前記信号線の出力端子、及び前記バイアス用コンデンサにバイアス電圧を供給するバイアス入力端子と、が備えられ、前記制御回路部には、前記ゲートＩＣを駆動するゲートＩＣ駆動回路と、前記列毎に駆動されたスイッチング素子から行毎に前記画素から信号電荷を読み出す信号読出回路と、が備えられて構成される。
【００１２】
上記の放射線検出装置において、前記制御回路部に電源を供給するバッテリ部は、制御回路部内に設けてもよく、制御回路部と別体に設けてもよい。
【発明の効果】
【００１３】
この発明に係る放射線検出装置は、基板上に、画素が形成されたスイッチング素子のアレイと、前記画素のバイアス用コンデンサと、入出力端子とを備えて放射線検出回路部が構成されるので、良好な可撓性が得られる。また、放射線検出回路部は、制御回路部を備えていないので、扁平且つ軽量に構成することができる。さらに、放射線検出回路部が被写体の表面形状に応じて湾曲するので、被写体の負担を軽減することができる。
【００１４】
また、放射線検出回路部にゲートＩＣを搭載することで、スイッチング素子とゲートＩＣ間の物理的な距離を短くできるのでスイッチング素子を高速に駆動することができ、画素に蓄積された信号電荷を高速に読み出すことができる。
【００１５】
さらに、バッテリ部を別体にしてバッテリ部を交換可能に構成することで、交換用のバッテリ部を準備しておくことで被写体（被写体は、複数でもよい。）に対して多数の放射線画像情報を得ることができる。
【発明を実施するための最良の形態】
【００１６】
図１は、この実施形態に係る無線式の放射線検出装置１１が適用された放射線画像撮影システム１２の構成ブロック図である。
【００１７】
放射線画像撮影システム１２は、例えば、手術室内等に配置され、基本的には、撮影条件に従った線量からなる放射線Ｒを患者等の被写体１４に照射するための放射線源１６と、被写体１４を透過した放射線Ｒを検出する放射線検出装置１１と、放射線検出装置１１によって検出された放射線Ｒに基づく放射線画像情報を表示する表示装置１８と、放射線検出装置１１、放射線源１６及び表示装置１８を制御するコンソール（制御装置）２０とを備える。
【００１８】
コンソール２０と、放射線検出装置１１、放射線源１６及び表示装置１８との間は、無線通信による信号の送受信が行われる。
【００１９】
なお、コンソール２０には、病院内の放射線科において取り扱われる放射線画像情報やその他の情報を統括的に管理する放射線科情報システム（ＲＩＳ）２２が院内通信網を介して接続され、ＲＩＳ２２には、病院内の医事情報を統括的に管理する医事情報システム（ＨＩＳ）２４が前記院内通信網を介して接続される。
【００２０】
図１、図２に示すように、放射線検出装置１１は、扁平のシート状の放射線検出回路部１０と、放射線検出回路部１０を駆動制御する箱状の制御回路部６２とから構成される。制御回路部６２には、配線３６とコネクタ１２２が設けられる一方、放射線検出回路部１０には、可撓性を有する方向である長さ方向ｙの端部にコネクタ１２０が設けられる。コネクタ１２０に対してコネクタ１２２が接続されることで、放射線検出回路部１０と制御回路部６２とが電気的に接続される。
【００２１】
図１に示すように、放射線検出回路部１０は、寝台２６、例えば、手術台上に配されたマットレス２８と被写体１４との間に介装される。放射線検出回路部１０は、長さ方向ｙに可撓性を有しているので、マットレス２８上で被写体１４の自重により被写体１４の表面形状に沿って湾曲する。このように、放射線検出回路部１０は、柔軟性があるので、被写体１４に痛みを与えることなく、寝台撮影に適している。
【００２２】
図２に示すように、放射線検出回路部１０は、主面が四角形状とされ、この四角形の大きさの可撓性（柔軟性）を有する樹脂製の基板４０上に構成される。可撓性を有する長さ方向ｙの一方の端部に幅方向ｘに沿ってコネクタ１２０が配置されているので、幅方向ｘの可撓性はコネクタ１２０により制限される。
【００２３】
長さ方向ｙの他方の端部には、開口により把手３３が設けられている。
【００２４】
図３は、図２のＩＩＩ−ＩＩＩ線一部省略断面図を示している。
【００２５】
基板４０の表面側に、被写体１４（図１参照）を透過した放射線Ｒを可視光に変換するシンチレータ５２と、行列状に形成され一方の信号電極に信号線６６（図６参照）が接続されゲート電極にゲート線６４（図６参照）が接続される薄膜トランジスタ（ＴＦＴ：Ｔｈｉｎ  Ｆｉｌｍ  Ｔｒａｎｓｉｓｔｏｒ）６８（図６参照）のアレイを含み放射線Ｒ及び可視光を透過可能なＴＦＴ層４８と、前記ＴＦＴ６８（図６参照）の他方の信号電極上にそれぞれ形成されアモルファスシリコン（ａ−Ｓｉ）等の物質からなる固体検出素子（以下、画素という。）５０（図６参照）を用いて前記可視光を信号電荷である電気信号に変換する光電変換層４６と、被写体１４による放射線Ｒの散乱線を除去するグリッド４２と、樹脂製の保護膜層４１と、が順に設けられる。保護膜層４１側から放射線Ｒが照射され、シンチレータ５２によって放射線Ｒが変換された前記可視光が前記画素５０により信号電荷（電気信号）に変換され当該画素５０に蓄積される。画素５０には、バイアス線７２を通じて画素５０にバイアス電圧Ｖｂを印加するためのバイアス用コンデンサ６７が接続されている。
【００２６】
バイアス用コンデンサ６７は、コネクタ１２０の隣り、すなわち長さ方向ｙの端部に配置されている（図２参照）。
【００２７】
なお、シンチレータ５２は、図４に示すように、グリッド４２と光電変換層４６との間に介装してもよい。
【００２８】
また、画素５０としては、ａ−Ｓｉに代替して、温度許容範囲はａ−Ｓｉより狭いがアモルファスセレン（ａ−Ｓｅ）等の物質からなる光電変換層を行列状のＴＦＴ６８のアレイ上に配置した構成に代替することができる。この場合には、シンチレータ５２は不要である。
【００２９】
さらに、スイッチング素子として機能するＴＦＴ６８は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００３０】
図３において、放射線検出回路部１０の保護膜層４１の表面は放射線Ｒの照射面５６とされている。
【００３１】
基板４０は、放射線吸収率の高い材料、例えばタングステンの粉末を混合して構成することが好ましい。この構成により、より詳しく説明すると、タングステンの粉末が混合された基板４０が放射線検出装置１１の裏面側の全面をカバーする構成とすることにより、放射線検出装置１１からのバック散乱が防止される。なお、制御回路部６２は、鉛板等で全面を覆うことで、制御回路部６２に搭載される回路部品の放射線Ｒによる損傷が防止される。
【００３２】
図５は、放射線検出装置１１の実体配線構成図を示している。
【００３３】
図６は、放射線検出装置１１の回路図を示している。
【００３４】
図５から分かるように、放射線検出回路部１０は、全体が四角形状とされ、上述したように、可撓性を有する方向ｙの一端部側にコネクタ１２０とバイアス用コンデンサ６７が配置される。
【００３５】
放射線検出回路部１０の中央部には、行列状に画素５０が配置され、さらに、図５、図６に示すように、各画素５０に信号電極の一方が接続され他方の信号電極に信号線６６が接続されゲート電極にゲート線６４が接続されたＴＦＴ６８と、が配置される。なお、図５において、ＴＦＴ６８は○印で描いている。画素５０には、ＴＦＴ６８を通じて信号線６６とゲート線６４が接続される他、バイアス線７２（図６参照）が接続される。
【００３６】
コネクタ１２０には、それぞれがオス型端子である、ゲート線６４の入力端子２６４ｍ、信号線６６の出力端子２６６ｍ、バイアス線７２（バイアス用コンデンサ６７）にバイアス電圧Ｖｂを供給するバイアス入力端子２６９ｍ、バイアス用コンデンサ６７等の接地端子２６７ｍが設けられる。
【００３７】
コネクタ１２０に接続される、制御回路部６２側のコネクタ１２２には、それぞれがメス型端子であるゲート線６４への出力端子２６４ｆ、信号線６６の入力端子２６６ｆ、バイアス線７２（バイアス用コンデンサ６７）にバイアス電圧Ｖｂを供給するバイアス出力端子２６９ｆ、接地端子２６７ｆが設けられる。
【００３８】
制御回路部６２は、ゲート線６４を通じてＴＦＴ６８を列毎に駆動するゲート駆動回路７３（駆動回路）と、駆動されたＴＦＴ６８及び信号線６６を通じて供給される信号電荷を読み出す信号読出回路９３と、画素５０にバイアス線７２を通じてバイアス電圧Ｖｂを与えるバイアス電源と、放射線検出装置１１の電源であるバッテリ９２と、放射線検出装置１１の全体を駆動制御する制御部１００と、放射線検出回路部１０によって検出され信号読出回路９３により読み出され画像メモリ９６に格納された放射線Ｒの情報を含む信号をコンソール２０との間で送受信する送受信機（無線通信手段）１０２と、を備える。
【００３９】
ゲート駆動回路７３は、ゲートＩＣ７７と該ゲートＩＣ７７を駆動するゲートＩＣ駆動回路７０とを備える。
【００４０】
ゲートＩＣ７７は、１回路２接点の電子スイッチ７１を有し、可動接点がゲート線６４に接続され、固定接点側は、それぞれゲートオン電圧Ｖｏｎとゲートオフ電圧Ｖｏｆｆに接続される。
【００４１】
ゲートＩＣ駆動回路７０の制御線７５を通じて電子スイッチ７１がゲートオフ電圧Ｖｏｆｆ側に接続されているときに放射線Ｒが曝射されると画素５０に信号電荷が蓄積される。
【００４２】
その後に、ゲートＩＣ駆動回路７０の制御線７５を通じて電子スイッチ７１がゲートオン電圧Ｖｏｎ側に接続されると、そのゲート線６４に接続された列方向（長さ方向ｙ）に並ぶＴＦＴ６８が駆動されてオン状態になり、画素５０に蓄積された信号電荷を信号線６６側に流すことが可能な状態になる。
【００４３】
信号読出回路９３は、各信号線６６に対して直列に接続される、それぞれがＩＣ（集積回路）からなる積分増幅器８２と、サンプルホールド回路８４と、マルチプレクサ７６を構成する電子スイッチ７８と、を有し、さらに、電子スイッチ７８の可動接点側が共通接続され信号線８８を通じて接続されるＡ／Ｄ変換器９０と、を備える。
【００４４】
マルチプレクサ駆動回路７９は、マルチプレクサ７６を構成する電子スイッチ７８を信号線６６毎｛行方向（幅方向ｘ）毎｝に順次駆動（オン）する。これにより各信号線６６からの信号電荷に係るアナログの信号電圧がＡ／Ｄ変換器９０によりデジタルの信号電圧に変換される。
【００４５】
制御部１００には、ゲートＩＣ駆動回路７０及びマルチプレクサ駆動回路７９にアドレス信号を供給するアドレス信号発生回路９４と、Ａ／Ｄ変換器９０によりＡ／Ｄ変換された画素５０毎のデジタル信号を格納する画像メモリ９６と、当該放射線検出装置１１を特定するための識別符号である検出装置ＩＤ情報を格納するＩＤメモリ９８が設けられている。
【００４６】
上述したように、各画素５０では、可視光を電気信号に変換することにより発生した信号電荷が蓄積され、幅方向ｘに沿って各列毎にＴＦＴ６８を順次オンにする一方、マルチプレクサ７６の電子スイッチ７８を長さ方向ｙに沿って各行毎に順次オンすることにより前記信号電荷をデジタルの画像信号（放射線画像情報）として読み出すことができる。
【００４７】
制御部１００に接続される送受信機１０２は、ＩＤメモリ９８に記憶された検出装置ＩＤ情報及び画像メモリ９６に記憶された放射線画像情報をまとめて無線通信によりコンソール２０に送信する。
【００４８】
この実施形態に係る放射線検出装置１１及び放射線画像撮影システム１２は、以上のように構成されるものであり、次にその動作について説明する。
【００４９】
放射線画像撮影システム１２は、手術室等に設置され、例えば、医師による被写体１４（患者）の施術中において、放射線画像の撮影が必要となった際に使用される。そのため、撮影対象である被写体１４の患者情報は、撮影に先立ち、コンソール２０に予め登録される。撮影部位や撮影方法が予め決まっている場合には、これらの撮影条件も予めコンソール２０に登録しておく。以上の準備作業が終了した状態において、被写体１４に対する施術が遂行される。
【００５０】
施術中において放射線画像の撮影を行う場合、医師又は担当する放射線技師は、被写体１４と寝台２６上のマットレス２８との間の所定位置に、放射線検出回路部１０の照射面５６（図３、図４参照）を放射線源１６側とした状態で位置決めした後、放射線検出回路部１０のコネクタ１２０にコネクタ１２２を接続して、制御回路部６２を取り付けることで、マットレス２８上に放射線検出装置１１を設置する。
【００５１】
次いで、放射線源１６を放射線検出回路部１０に対向する位置に移動させた後、図示しない撮影スイッチを操作して撮影を行う。
【００５２】
この場合、放射線源１６は、コンソール２０より当該被写体１４の撮影部位に係る撮影条件を無線通信により取得し、取得した撮影条件に従って放射線源１６内の線量調整部を制御することにより、所定の線量からなる放射線Ｒを被写体１４に照射する。
【００５３】
被写体１４を透過した放射線Ｒは、放射線検出回路部１０に照射され、放射線検出回路部１０のグリッド４２によって散乱線が除去された後、放射線検出回路部１０を構成する各画素５０によって電気信号に変換され、電荷（信号電荷）として保持される。次いで、各画素５０に保持された被写体１４の放射線画像情報である信号電荷は、制御部１００を構成するアドレス信号発生回路９４からゲートＩＣ駆動回路７０及び及びマルチプレクサ駆動回路７９に供給されるアドレス信号に従って読み出される。
【００５４】
すなわち、ゲートＩＣ駆動回路７０は、アドレス信号発生回路９４から供給されるアドレス信号に従って選択信号を出力して対応する電子スイッチ７１をオンにしてゲート線６４を選択し、選択したゲート線６４に接続された列方向に並ぶＴＦＴ６８のゲート電極にゲートオン電圧Ｖｏｎを印加する。なお、選択されなかったゲート線６４には、ゲートオフ電圧Ｖｏｆｆが印加される。一方、マルチプレクサ駆動回路７９は、アドレス信号発生回路９４から供給されるアドレス信号に従って選択信号を出力してマルチプレクサ７６を構成する電子スイッチ７８を順次切り替え、ゲートＩＣ駆動回路７０によって選択されたゲート線６４に接続された各画素５０に保持された放射線画像情報としての信号電荷を信号線６６を介して順次読み出す。
【００５５】
この場合、各画素５０から読み出された放射線画像情報としての信号電荷は、各積分増幅器８２によって増幅された後、各サンプルホールド回路８４によってサンプリングされ、マルチプレクサ７６（電子スイッチ７８）を介し信号線８８を通じてＡ／Ｄ変換器９０に供給され、Ａ／Ｄ変換器９０によりデジタル信号に変換される。デジタル信号に変換された放射線画像情報は、制御部１００の画像メモリ９６に一旦記憶される。
【００５６】
同様にして、ゲートＩＣ駆動回路７０は、アドレス信号発生回路９４から供給されるアドレス信号に従ってゲート線６４に接続されたＴＦＴ６８を列毎に順次切り替え、各画素５０に保持された電荷情報である放射線画像情報としての信号電荷を信号線６６を介して読み出し、積分増幅器８２、サンプルホールド回路８４、マルチプレクサ７６、信号線８８及びＡ／Ｄ変換器９０を介して制御部１００の画像メモリ９６に記憶させる。
【００５７】
画像メモリ９６に記憶された放射線画像情報は、送受信機１０２を介して無線通信によりコンソール２０に送信される。コンソール２０に送信された放射線画像情報は、当該コンソール２０の図示しない送受信機によって受信され、図示しない画像処理部において所定の画像処理が施された後、コンソール２０に登録されている被写体１４の患者情報と関連付けられた状態でコンソール２０の画像メモリに記憶される。
【００５８】
コンソール２０内で所定の画像処理が施された放射線画像情報は、コンソール２０から表示装置１８に送信され、放射線画像情報を受信した表示装置１８は、放射線画像を表示する。
【００５９】
図示しない医師は、表示装置１８に表示された放射線画像を確認しながら施術を遂行する。
【００６０】
この場合、放射線画像撮影システム１２では、放射線検出装置１１とコンソール２０との間、放射線源１６とコンソール２０との間、及び、コンソール２０と表示装置１８との間は無線により通信されることから、信号を送受信するためのケーブルが連結されていないため、例えば、手術室等の床面にこれらのケーブルが配設されることがなく、医師等の作業に支障を来すおそれがない。
【００６１】
以上説明したように上述した実施形態に係る放射線検出装置１１は、可撓性を有する基板４０上に形成される放射線検出回路部１０と、該放射線検出回路部１０を駆動制御する制御回路部６２と、から構成される。
【００６２】
放射線検出回路部１０には、一方の信号電極に信号線６６が接続され、ゲート電極にゲート線６４が接続され、他方の信号電極に、被写体１４を透過した放射線Ｒを検出して信号電荷に変換する各画素５０が形成される行列配置のＴＦＴ６８のアレイと、各画素５０にバイアス電圧Ｖｂを印加するためのバイアス用コンデンサ６７と、ゲート線６４の入力端子２６４ｍ、信号線６６の出力端子２６６ｍ、及びバイアス用コンデンサ６７にバイアス電圧Ｖｂを供給するバイアス入力端子２６９ｍと、が備えられる。
【００６３】
制御回路部６２には、ＴＦＴ６８を列毎に駆動するゲート駆動回路７３（駆動回路）と、前記列毎に駆動されたＴＦＴ６８から行毎に画素５０から信号電荷を読み出す信号読出回路９３と、が備えられる。
【００６４】
このように、この実施形態に係る放射線検出装置１１は、基板４０上に、画素５０が形成されたＴＦＴ６８のアレイと、画素５０のバイアス用コンデンサ６７と、ＴＦＴ６８の駆動及び画素５０の読出のためのコネクタ１２０（ＴＦＴ６８駆動のための入力端子２６４ｍ、画素５０からの信号電荷を読み出すための出力端子２６６ｍ、画素５０にバイアス電圧Ｖｂを供給するためのバイアス入力端子２６９ｍ、放射線検出回路部１０の接地端子２６７ｍ）とを備えて放射線検出回路部１０が構成されるので、良好な可撓性が得られる。
【００６５】
すなわち、放射線検出回路部１０は、制御回路部６２を備えていないので、扁平且つ軽量に構成することができる。さらに、放射線検出回路部１０が被写体１４の表面形状に応じて湾曲するので、被写体１４の負担を軽減することができる。
【００６６】
なお、画素５０に信号電荷を蓄積する際には、ＴＦＴ６８はオフ状態にされ、画素５０にバイアス電圧Ｖｂがかかっていればよいので、放射線検出回路部１０側のコネクタ１２０と制御回路部６２側のコネクタ１２２とが非接続の状態においても、バイアス用コンデンサ６７にバイアス電圧Ｖｂが充電されていれば放射線画像情報（信号電荷）を放射線検出回路部１０（画素５０）に取り込むことができる。
【００６７】
コネクタ１２０と１２２とが接続されていない状態では、より確実にバイアス電圧Ｖｂを与えるためには、バイアス用コンデンサ６７（の入力端子２６７ｍ、２６９ｍ）にクリップ等を介してバイアス電圧Ｖｂを印加しておくことで、放射線検出回路部１０（画素５０）に被写体１４を透過した放射線Ｒに係る放射線画像情報（信号電荷）を蓄積することができる。蓄積後に、前記クリップを取り外し、コネクタ１２０とコネクタ１２２を接続して、ＴＦＴ６８をゲート駆動回路７３により駆動することで、信号読出回路９３により画素５０から放射線画像情報（信号電荷）を読み出し、制御部１００の画像メモリ９６に格納することができる。
【００６８】
他の実施の形態として、図７、図８の放射線検出回路部１０ａと制御回路部６２ａとからなる放射線検出装置１１ａとして示すように、ゲートＩＣ７７を放射線検出回路部１０ａ側に搭載することで、ＴＦＴ６８とゲートＩＣ７７間の物理的な距離を短くすることができ、浮遊インピーダンス（インダクタンスと容量）を小さくしてＴＦＴ６８をより高速に駆動することができ、結果として、画素５０に蓄積された信号電荷をより高速に読み出すことができる。
【００６９】
この図７、図８例の放射線検出装置１１ａでは、制御回路部６２ａ側の制御線７５とゲートオン電圧Ｖｏｎとゲートオフ電圧Ｖｏｆｆとがコネクタ１２２ａ、コネクタ１２０ａの出力端子２７７ｆ、入力端子２７７ｍと、出力端子２７９ｆ、入力端子２７９ｍと、出力端子２７８ｆ、入力端子２７８ｍとを通じてそれぞれ接続される。制御回路部６２ａのゲート駆動回路７３ａは、ゲートＩＣ駆動回路７０のみにより構成される。
【００７０】
さらに、他の実施形態として、図９に示すように、バッテリ９２が搭載されていない制御回路部６２ｂに対してバッテリ９２を内蔵したバッテリパック９２ａ（バッテリ部）を着脱式で取り付けるように構成を変更することもできる。このようにバッテリ９２を別体にして交換可能に構成することで、交換用のバッテリパック９２ａを複数個準備しておくことで被写体１４（被写体１４は、複数でもよい。）に対して多数の放射線画像情報を得ることができる。
【００７１】
この図９例の放射線検出装置１１ｂは、ゲートＩＣ７７が搭載されていない放射線検出回路部１０（図５、図６参照）と、バッテリ９２が搭載されていない制御回路部６２ｂ（図９参照）と、バッテリパック９２ａ（図９参照）とから構成される場合の他、ゲートＩＣ７７が搭載されている放射線検出回路部１０ａ（図７、図８参照）と、バッテリ９２が搭載されていない制御回路部６２ｂ（図９参照）と、バッテリパック９２ａ（図９参照）から構成される場合がある。
【００７２】
なお、この発明は、上述した実施形態に限定されるものではなく、この発明の主旨を逸脱しない範囲で自由に変更できることは勿論である。
【００７３】
例えば、上記実施形態では、放射線画像撮影システム１２を施術中に使用して放射線画像を表示装置１８で表示するものとしたが、当該放射線画像撮影システム１２は施術中以外において通常の放射線画像の撮影のみを行う場合にも適用可能であることは言うまでもない。例えば、検診や病院内での回診にも適用することができる。
【００７４】
放射線検出装置１１は、手術室等で使用されるとき、血液やその他の雑菌が付着するおそれがある。そこで、放射線検出装置１１を防水性、密閉性を有する構造とし、必要に応じて殺菌洗浄することにより、１つの放射線検出装置１１を繰り返し続けて使用することができる。
【００７５】
また、放射線検出装置１１と外部機器であるコンソール２０との間での無線通信は、通常の電波による通信に代えて、赤外線等を用いた光無線通信で行うようにしてもよい。
【図面の簡単な説明】
【００７６】
【図１】この実施形態に係る放射線検出装置を備える放射線画像撮影システムの構成図である。
【図２】この実施形態に係る放射線検出装置の斜視図である。
【図３】図２に示す放射線検出装置のＩＩＩ−ＩＩＩ線一部省略断面図である。
【図４】他の実施形態に係る放射線検出装置の一部省略断面図である。
【図５】この実施形態に係る放射線検出装置の実体配線構成図である。
【図６】この実施形態に係る放射線検出装置の回路図である。
【図７】他の実施形態に係る放射線検出装置の実体配線構成図である。
【図８】他の実施形態に係る放射線検出装置の回路図である。
【図９】さらに他の実施形態に係る放射線検出装置の斜視図である。
【符号の説明】
【００７７】
１０、１０ａ…放射線検出回路部      １１、１１ａ、１１ｂ…放射線検出装置
１４…被写体                        ４０…基板
５０…画素                          ６２、６２ａ、６２ｂ…制御回路部
６４…ゲート線                      ６６…信号線
６７…バイアス用コンデンサ          ６８…ＴＦＴ
７３、７３ａ…ゲート駆動回路        ７７…ゲートＩＣ
９３…信号読出回路                  ２６４ｍ…入力端子
２６６ｍ…出力端子                  ２６７ｍ…接地端子
２６９ｍ…バイアス入力端子
【図１】
2010078543.tif 000003
【図２】
2010078543.tif 000004
【図３】
2010078543.tif 000005
【図４】
2010078543.tif 000006
【図５】
2010078543.tif 000007
【図６】
2010078543.tif 000008
【図７】
2010078543.tif 000009
【図８】
2010078543.tif 000010
【図９】
2010078543.tif 000011